(57)【要約】【課題】取り扱いが容易であり、カートリッジの長期の使用が可能なバーナ装置を提供する。【解決手段】装置本体Ａを備え、装置本体Ａは、内部に燃料が収容されたカートリッジＣが取付けられる取付部Ａ１と、燃料を用いて着火を行うトーチ部Ａ２と、取付部Ａ１とトーチ部Ａ２との内部を連通させる連通部Ａ３と、を有し、取付部Ａ１には、カートリッジＣの弁を押圧する取付孔Ａ１ａと、取付孔Ａ１ａと連通し、内部に燃料が充填される充填部Ａ１ｂと、が設けられ、取付孔Ａ１ａは、充填部Ａ１ｂに複数形成されていることを特徴とする。【選択図】図１
2020112299.tif 000002
【特許請求の範囲】
【請求項１】
装置本体を備え、
前記装置本体は、内部に燃料が収容されたカートリッジが取付けられる取付部と、前記燃料を用いて着火を行うトーチ部と、前記取付部と前記トーチ部との内部を連通させる連通部と、を有し、
前記取付部には、前記カートリッジの弁を押圧する取付孔と、前記取付孔と連通し、内部に前記燃料が充填される充填部と、が設けられ、
前記取付孔は、前記充填部に複数形成されていることを特徴とするバーナ装置。
【請求項２】
前記複数の取付孔は、略同一方向に開口していることを特徴とする、請求項１に記載のバーナ装置。
【請求項３】
前記連通部は、可撓性を有していることを特徴とする、請求項１又は２に記載のバーナ装置。
【請求項４】
前記連通部には、前記トーチ部側の端部に回動継手が設けられていることを特徴とする、請求項１〜３の何れかに記載のバーナ装置。
【請求項５】
前記装置本体を収容する収容具を備え、
前記収容具は、前記カートリッジを収容するカートリッジ収容部と、トーチ部を取付けるトーチ部取付部と、有し、
前記カートリッジ収容部には、カートリッジ収容空間と、前記カートリッジ収容空間に隣接して形成された温度調節具収容空間と、が設けられていることを特徴とする、請求項１〜４の何れかに記載のバーナ装置。
【請求項６】
前記トーチ部取付部は、前記カートリッジ収容部に着脱可能に取付られていることを特徴とする、請求項５に記載のバーナ装置。
【請求項７】
前記トーチ部取付部には、前記トーチ部の着火口側の端部を収容する端部収容容器が設けられていることを特徴とする、請求項５又は６に記載のバーナ装置。
【請求項８】
前記トーチ部の前記連通部側の端部には、溝部が設けられ、
前記トーチ部取付部には、前記溝部と嵌合する嵌合部材が設けられていることを特徴とする、請求項５〜７の何れかに記載のバーナ装置。
【請求項９】
前記収容具は、所定の大きさの輪を形成可能なベルト部を有することを特徴とする、請求項５〜８の何れかに記載のバーナ装置。
【発明の詳細な説明】
【技術分野】
【０００１】
本発明は、トーチ型のバーナ装置に係るものである。
【背景技術】
【０００２】
従来から、溶接等の施工やアウトドア等様々な場面で、トーチ型のバーナ装置が用いられてきた。
【０００３】
このようなトーチ型のバーナ装置に関する発明として、例えば特許文献１には、カートリッジ形ガスボンベの口金内部に設けられたバルブに異常があり、ガスが異常漏出したときに、ガス流量調整手段で異常漏出を阻止することを目的としたバーナ装置が記載されている。
【先行技術文献】
【特許文献】
【０００４】
【特許文献１】特許第４０１２４８９号公報
【発明の概要】
【発明が解決しようとする課題】
【０００５】
ところで、このようなトーチ型のバーナ装置は、トーチ端部に着火ができなくなった状態であっても、実際には、排気されなかったガスがカートリッジ内部に残留している場合が通常である。
【０００６】
即ち、通常のトーチ型のバーナ装置を用いた場合、作業者は、カートリッジ内部のガスを完全に使い切ることができず、カートリッジの交換サイクルが早まることで、利便性の悪化や環境への悪影響を招いていた。
【０００７】
本発明は上記のような実状に鑑みてなされたものであり、取り扱いが容易であり、カートリッジの長期の使用が可能なバーナ装置を提供することを課題とする。
【課題を解決するための手段】
【０００８】
上記課題を解決するために、本発明は、装置本体を備え、
前記装置本体は、内部に燃料が収容されたカートリッジが取付けられる取付部と、前記燃料を用いて着火を行うトーチ部と、前記取付部と前記トーチ部との内部を連通させる連通部と、を有し、
前記取付部には、前記カートリッジの弁を押圧する取付孔と、前記取付孔と連通し、内部に前記燃料が充填される充填部と、が設けられ、
前記取付孔は、前記充填部に複数形成されていることを特徴とするバーナ装置。
【０００９】
本発明によれば、取付孔が、充填部に複数形成されていることで、本バーナ装置にカートリッジを複数取付けることができ、作業者は、交換作業を要せずとも、複数本のカートリッジ分の燃料による、本バーナ装置の長期の使用が可能となる。
【００１０】
本発明の好ましい形態では、前記複数の取付孔は、略同一方向に開口していることを特徴とする。
【００１１】
このような構成とすることで、サイフォンの原理により、各カートリッジ内部が同一の圧力に保持された状態で減少していく。即ち、燃料が自然と充填部内部を移動していくことで、各カートリッジ内部の全ての燃料が充填部に充填され、着火のために使い切ることが可能となる。
【００１２】
本発明の好ましい形態では、前記連通部は、可撓性を有していることを特徴とする。
【００１３】
このような構成とすることで、装置本体とトーチ部との位置関係や着火口の開口方向をフレキシブルに変化させることが可能となる。
【００１４】
本発明の好ましい形態では、前記連通部には、前記トーチ部側の端部に回動継手が設けられていることを特徴とする。
【００１５】
このような構成とすることで、着火口の開口方向を変化させた場合であっても、連通部の不意の湾曲や絡まりを防止することが可能となる。
【００１６】
本発明の好ましい形態では、前記装置本体を収容する収容具を備え、
前記収容具は、前記カートリッジを収容するカートリッジ収容部と、トーチ部を取付けるトーチ部取付部と、有し、
前記カートリッジ収容部には、カートリッジ収容空間と、前記カートリッジ収容空間に隣接して形成された温度調節具収容空間と、が設けられていることを特徴とする。
【００１７】
このような構成とすることで、作業者は、使用状況等に応じて、温度調節具収容空間に懐炉や冷却剤を収容することが可能となる。これにより、作業者は、カートリッジ内部を保温し、火力の低下を抑制したり、トーチ部取付部に取付けられた着火部を素早く冷却することが可能となる。
【００１８】
本発明の好ましい形態では、前記トーチ部取付部は、前記カートリッジ収容部に着脱可能に取付けられていることを特徴とする。
【００１９】
このような構成とすることで、作業者は、使用状況等に応じて、トーチ部取付部を取外し、収容具をよりコンパクトかつ軽量な状態として作業を行うことが可能となる。
【００２０】
本発明の好ましい形態では、前記トーチ部取付部には、前記トーチ部の着火口側の端部を収容する端部収容容器が設けられていることを特徴とする。
【００２１】
このような構成とすることで、温度が上昇した着火部の人体や他部材への干渉を防止でき、本バーナ装置の安全性が向上する。
【００２２】
本発明の好ましい形態では、前記トーチ部の前記連通部側の端部には、溝部が設けられ、前記トーチ部取付部には、前記溝部と嵌合する嵌合部材が設けられていることを特徴とする。
【００２３】
このような構成とすることで、トーチ部が、安定的にトーチ部取付部に取付けられる。
【００２４】
本発明の好ましい形態では、前記収容具は、所定の大きさの輪を形成可能なベルト部を有することを特徴とする。
【００２５】
このような構成とすることで、作業者は、適宜自身の腰等に収容具を巻き付けて作業を行うことが可能となる。
【発明の効果】
【００２６】
本発明によれば、取り扱いが容易であり、カートリッジの長期の使用が可能なバーナ装置を提供することができる。
【図面の簡単な説明】
【００２７】
【図１】本発明の実施形態に係るバーナ装置の概略斜視図である。
【図２】本発明の実施形態に係るバーナ装置における取付部及びカートリッジの部分拡大断面図である。
【図３】本発明の実施形態に係るバーナ装置における収容具の概略斜視図である。
【図４】本発明の実施形態に係るバーナ装置における収容具を示す図であって、（ａ）ＸＸ´線断面図、（ｂ）背面図である。
【図５】本発明の実施形態に係るバーナ装置の使用方法を説明するための図である。
【図６】本発明の実施形態に係るバーナ装置の使用方法を説明するための図である。
【図７】本発明の実施形態に係るバーナ装置の使用方法を説明するための図である。
【発明を実施するための形態】
【００２８】
以下、図１〜図７を用いて、本発明の実施形態に係るバーナ装置について説明する。
なお、以下に示す実施形態は本発明の一例であり、本発明を以下の実施形態に限定するものではない。また、これらの図において、符号１は、本実施形態に係るバーナ装置を示す。
【００２９】
図１に示すように、バーナ装置１は、装置本体Ａを備えている。
【００３０】
装置本体Ａは、内部に燃料が収容されたカートリッジＣが取付けられる取付部Ａ１と、燃料を用いて着火を行うトーチ部Ａ２と、取付部Ａ１とトーチ部Ａ２とを連通させる連通部Ａ３と、を有している。
【００３１】
取付部Ａ１には、カートリッジＣの弁Ｃ１（図２参照）を押圧する２つの取付孔Ａ１ａと、取付孔Ａ１ａと連通し、内部に燃料が充填される略円柱状の充填部Ａ１ｂと、連通部Ａ３と接続される接続部Ａ１ｃと、が設けられている。
また、接続部Ａ１ｃには、燃料が通過する流路に設けられた弁（図示せず）の開閉を操作する操作部ｓが設けられている。
なお、取付孔Ａ１ａの数は２つに限られず、幾つであっても良い。また、接続部Ａ１ｃは、回動可能や着脱可能としても良く、既知の管継手が適用される。
【００３２】
トーチ部Ａ２には、トリガー部ｔ１、ガス量調節つまみｔ２、空気量調節つまみｔ３及び空気流入窓部ｔ４が設けられたトーチ部本体Ａ２ａと、トーチ部本体Ａ２ａから延び、その開口端が着火口ｔ５である着火部Ａ２ｂと、着火部Ａ２ｂと逆方向に延び、連通部Ａ３と接続される接続部Ａ２ｃと、が設けられている。
【００３３】
作業者は、ガス量調節つまみｔ２を操作することで、トーチ部本体Ａ２ａ内部に設けられた弁（図示せず）の開口度合いを変化させ、火力を調整することができる。
また、作業者は、スライド式の空気量調節つまみｔ３を操作することで、空気流入窓部ｔ４の開口度合いを変化させ、火に含まれる空気量を調節することができる。
【００３４】
接続部Ａ２ｃには、嵌合部材Ｂ２ｃ（図３以降参照）と嵌合する溝部ｇが、その外周に沿って設けられている。
また、連通部Ａ３のトーチ部Ａ２側の端部には、例えばベアリング等を用いることで軸周りに滑らかに回動可能な回動継手ｗが設けられ、図１の部分拡大断面図で示すように、接続部Ａ２ｃと連通部Ａ３とが、回動継手ｗを介して接続されている。
【００３５】
連通部Ａ３は、可撓性であり、例えばゴム等弾性素材で形成されることが好ましい。
【００３６】
図２は、取付孔Ａ１ａ、充填部Ａ１ｂ及びカートリッジＣの部分拡大断面図であり、説明の便宜上、カートリッジＣを取付孔Ａ１ａから取外した状態で示している。
なお、図２（ｂ）は、一方の取付孔Ａ１ａ及びカートリッジＣをさらに拡大した部分拡大断面図である。
【００３７】
図２に示すように、各取付孔Ａ１ａは、共に鉛直下方に開口しており、略中央に、カートリッジＣの弁Ｃ１を押圧するピンｐが鉛直下方に延びている。
【００３８】
作業者は、各取付孔Ａ１ａに設けられた雌ネジ部と各カートリッジＣ端部の外周に設けられた雄ネジ部により、各カートリッジＣを各取付孔Ａ１ａに取付ける。この際、ピンｐが弁Ｃ１を押圧することで、弁Ｃ１とＯリングＣ２との間に隙間が生じ、各カートリッジＣ内部の燃料が、各取付孔Ａ１ａを介して充填部Ａ１ｂの内部に流入し、充填される。
【００３９】
図３、図４に示すように、バーナ装置１は、さらに収容具Ｂを備えている。
なお、以下説明の便宜上、図３に示すＸＸ´線方向を前後方向、収容具Ｂの底面と平行な平面内において前後方向と直交する方向を左右方向とし、トーチ部取付部Ｂ２側を前方とする。
【００４０】
収容具Ｂは、カートリッジＣを収容するカートリッジ収容部Ｂ１と、トーチ部Ａ２を取付けるトーチ部取付部Ｂ２と、有している。
【００４１】
カートリッジ収容部Ｂ１には、全体が、上方が開放された袋状に概略構成され、カートリッジ収容空間Ｓ１を形成するカートリッジ収容部本体Ｂ１ａと、カートリッジ収容部本体Ｂ１ａの前方側に設けられ、温度調節具収容空間Ｓ２を形成する温度調節具収容部Ｂ１ｂと、ベルト部Ｄが取付けられ、カートリッジ収容部Ｂ１の後方側の一側面を形成するベルト部取付部Ｂ１ｃと、が設けられている。
【００４２】
カートリッジ収容部本体Ｂ１ａには、その内部の略中央に、略長方形状で柔軟性を有する仕切り部材ｕが略Ω字状に湾曲して収容されている。これにより、カートリッジ収容空間Ｓ１が２つに分割されると共に、カートリッジ収容部本体Ｂ１ａの略中央にも温度調節具収容空間Ｓ２´が形成される。
【００４３】
温度調節具収容空間Ｓ２、Ｓ２´には、適宜懐炉や冷却剤等が収容される。
【００４４】
また、仕切り部材ｕ及び収容具Ｂには、互いに着脱可能な着脱手段Ｖが複数設けられている。
詳述すれば、図４（ａ）に示すように、仕切り部材ｕには、その略中央及び左右方向の両端部から上下方向に沿って、それぞれ２つの凹部ｖ１が設けられている。また、カートリッジ収容部本体Ｂ１ａ及びベルト部取付部Ｂ１ｃには、各凹部ｖ１に対応する位置に各凹部ｖ１と嵌合する凸部ｖ２が設けられている。即ち、凹部ｖ１と凸部ｖ２とにより、着脱手段Ｖが構成されている。
これにより、仕切り部材ｕの湾曲形態が安定的に維持されると共に、作業者は、仕切り部材ｕを、容易に収容具Ｂから取外すことができる。
なお、着脱手段は、必ずしも凹部ｖ１と凸部ｖ２とにより構成する必要はなく、例えば、面ファスナーやフック部材等を適用しても良い。
【００４５】
温度調節具収容部Ｂ１ｂは、図３、図４（ａ）に示すように、その左右方向の両端辺と底面とが、カートリッジ収容部本体Ｂ１ａの前方側に縫合されている。
【００４６】
ベルト部取付部Ｂ１ｃは、図４（ｂ）に示すように、その左右方向の両端辺が、カートリッジ収容部本体Ｂ１ａの後方側に縫合されている。
また、ベルト部取付部Ｂ１ｃは、図４（ｂ）に示すように、左右方向に沿って、着脱手段Ｖが３つ設けられている。これにより、図４（ａ）に示すように、ベルト部Ｄが挿通される挿通孔ｈが形成されている。
なお、図４（ａ）において、ベルト部Ｄは省略している。
【００４７】
ベルト部Ｄは、所定の大きさの輪を形成可能に構成されており、例えば、両端に面ファスナーや差し込みバックル等の連結手段（図示せず）が設けられている。
【００４８】
トーチ部取付部Ｂ２には、耐熱性を有する金属素材により形成され、略薄板状のトーチ部取付部本体Ｂ２ａと、着火部Ａ２ｂを収容する端部収容容器Ｂ２ｂと、溝部ｇが嵌合する嵌合部材Ｂ２ｃと、が設けられている、
【００４９】
トーチ部取付部本体Ｂ２ａは、図４（ａ）に示すように、その上部が、下方に開口する略コ字状に湾曲形成されており、この部分に温度調節具収容部Ｂ１ｂの前方上部が挿し込まれることで、カートリッジ収容部Ｂ１に着脱可能に取付けられている。
【００５０】
端部収容容器Ｂ２ｂは、上方に開口した有底円筒状に形成され、トーチ部取付部本体Ｂ２ａに、その下方で一体として設けられている。
【００５１】
嵌合部材Ｂ２ｃは、略Ｃ字状に形成され、トーチ部取付部本体Ｂ２ａに、その上方で一体として設けられている。また、端部収容容器Ｂ２ｂの軸方向と嵌合部材Ｂ２ｃの軸方向とは、略平行となるように設けられている。
【００５２】
以下、図５〜図７を用いて、バーナ装置１の使用方法について説明する。
【００５３】
まず、作業者は、図５に示すように、各カートリッジＣを各カートリッジ収容空間Ｓ１に収容する。
次に、作業者は、操作部ｓを操作することで接続部Ａ１ｃ内部の弁を開き、充填部Ａ１ｂ内部の燃料を、連通部Ａ３を介してトーチ部Ａ２に送り込む。
そして、作業者がトリガー部ｔ１を操作することで、既知のバーナ装置のように圧電素子に衝撃が加えられ、発生した火花が燃料に引火する。これにより着火口ｔ５から火Ｆが噴出される。
【００５４】
なお、作業者は、上記したように、ガス量調節つまみｔ２や空気量調節つまみｔ３を操作し、火Ｆを所望の態様とすることができる。
【００５５】
また、作業者は、図６、図７に示すように、所定の作業が終了した場合等、一時的にトーチ部Ａ２を用いない場合には、トーチ部取付部Ｂ２にトーチ部Ａ２を収容しておくことができる。
詳述すれば、作業者は、着火部Ａ２ｂを端部収容容器Ｂ２ｂに収容し、溝部ｇを嵌合部材Ｂ２ｃの内周面に嵌合させておく。
なお、図７は、図６の部分拡大図であり、端部収容容器Ｂ２ｂの内部を点線で示している。
【００５６】
また、作業者は、適宜使用状態等に応じて、自身の腰等にベルト部Ｄを巻き付け、固定した状態で、作業を行うことができる。
【００５７】
本実施形態によれば、取付孔Ａ１ａが、充填部Ａ１ｂに２つ形成されていることで、バーナ装置１にカートリッジＣを２つ取付けることができ、作業者は、交換作業を要せずとも、２本のカートリッジＣ分の燃料による、バーナ装置１の長期の使用が可能となる
【００５８】
また、取付孔Ａ１ａが、略同一方向に開口していることで、サイフォンの原理により、各カートリッジＣ内部が同一の圧力に保持された状態で減少していく。即ち、燃料が自然と充填部Ａ１ｂ内部を移動していくことで、各カートリッジＣ内部の全ての燃料が充填部Ａ１ｂに充填され、着火のために使い切ることが可能となる。
【００５９】
また、連通部Ａ３が、可撓性を有していることで、取付部Ａ１とトーチ部Ａ２との位置関係や着火口ｔ５の開口方向をフレキシブルに変化させることが可能となる。
【００６０】
また、連通部Ａ３のトーチ部Ａ２側の端部に回動継手ｗが設けられていることで、着火口ｔ５の開口方向を変化させた場合であっても、連通部Ａ３の不意の湾曲や絡まりを防止することが可能となる。
【００６１】
また、カートリッジ収容部Ｂ１に、カートリッジ収容空間Ｓ１と、カートリッジ収容空間Ｓ１に隣接して形成された温度調節具収容空間Ｓ２、Ｓ２´と、が設けられていることで、作業者は、使用状況等に応じて、温度調節具収容空間Ｓ２、Ｓ２´に懐炉や冷却剤を収容することが可能となる。これにより、作業者は、カートリッジＣ内部を保温し、火力の低下を抑制したり、トーチ部取付部Ｂ２に取付けられた着火部Ａ２ｂを素早く冷却することが可能となる。
【００６２】
また、トーチ部取付部Ｂ２が、カートリッジ収容部Ｂ１に着脱可能に取付けられていることで、作業者は、使用状況等に応じて、トーチ部取付部Ｂ２を取外し、収容具Ｂをよりコンパクトかつ軽量な状態として作業を行うことが可能となる。
【００６３】
また、トーチ部取付部Ｂ２に、着火部Ａ２ｂを収容する端部収容容器Ｂ２ｂが設けられていることで、温度が上昇した着火部Ａ２ｂの人体や他部材への干渉を防止でき、バーナ装置１の安全性が向上する。
【００６４】
また、トーチ部Ａ２の連通部Ａ３側の端部に、溝部ｇが設けられ、トーチ部取付部Ｂ２には、溝部ｇと嵌合する嵌合部材Ｂ２ｃが設けられていることで、トーチ部Ａ２が、安定的にトーチ部取付部Ｂ２に取付けられる。
【００６５】
また、収容具Ｂが、所定の大きさの輪を形成可能なベルト部Ｄを有することで、作業者は、適宜自身の腰等に収容具Ｂを巻き付けて作業を行うことが可能となる。
【００６６】
なお、上述の実施形態において示した各構成部材の諸形状や寸法等は一例であって、設計要求等に基づき種々変更可能である。
【符号の説明】
【００６７】
１            バーナ装置
Ａ            装置本体
Ａ１          取付部
Ａ１ａ        取付孔
Ａ１ｂ        充填部
Ａ１ｃ        接続部
ｓ            操作部
ｐ            ピン
Ａ２          トーチ部
Ａ２ａ        トーチ部本体
Ａ２ｂ        着火部
Ａ２ｃ        接続部
ｇ            溝部
ｔ１          トリガー部
ｔ２          ガス量調節つまみ
ｔ３          空気量調節つまみ
ｔ４          空気流入窓部
ｔ５          着火口
Ａ３          連通部
ｗ            回動継手
Ｂ            収容具
Ｂ１          カートリッジ収容部
Ｂ１ａ        カートリッジ収容部本体
Ｂ１ｂ        温度調節具収容部
Ｂ１ｃ        ベルト部取付部
ｕ            仕切り部材
Ｂ２          トーチ部取付部
Ｂ２ａ        トーチ部取付部本体
Ｂ２ｂ        端部収容容器
Ｂ２ｃ        嵌合部材
Ｖ            着脱手段
ｖ１          凹部
ｖ２          凸部
Ｓ１          カートリッジ収容空間
Ｓ２、Ｓ２´  温度調節具収容空間
Ｃ            カートリッジ
Ｃ１          弁
Ｃ２          Ｏリング
Ｄ            ベルト部
Ｆ            火
【図１】
2020112299.tif 000003
【図２】
2020112299.tif 000004
【図３】
2020112299.tif 000005
【図４】
2020112299.tif 000006
【図５】
2020112299.tif 000007
【図６】
2020112299.tif 000008
【図７】
2020112299.tif 000009